(57)【特許請求の範囲】
【請求項１】
被検体にＸ線を照射し、前記被検体を透過したＸ線を検出して画像データを生成するＸ線ＣＴ装置において、
前記被検体に対して照射するＸ線を発生するＸ線管と、
前記Ｘ線管と前記被検体間に配置され、前記被検体に照射するＸ線の照射範囲を設定するために前記Ｘ線管からのＸ線が通過するスリットを形成するスリット部と、
前記被検体の位置決めを行うための可視光を前記スリット部により形成されたスリットを通過させて、前記照射範囲の方向に照射する投光手段とを
備え、
前記投光手段は、
前記Ｘ線管の照射軸上に位置する所定の点を中心とした前記Ｘ線管を通る円周上に配置され、且つ前記Ｘ線管からのＸ線の照射範囲外の位置に配置された可視光を発生する発光体と、
前記Ｘ線管と前記スリット部間に配置され、前記所定の点を含む位置では、前記発光体から前記所定の点に入射した可視光が前記スリット部により形成されたスリットの方向に反射して前記照射軸上を通る角度に傾斜している反射体と、
前記Ｘ線管と前記スリット部間に配置され、前記Ｘ線管からのＸ線が透過する前記被検体の体厚を補正するためのフィルタ、と
を有し、
前記反射体は、前記フィルタの透過したＸ線が出射する出射面上に配置されていることを特徴とするＸ線ＣＴ装置。
【請求項２】
前記反射体は、Ｘ線を透過すると共に可視光を反射するミラーであることを特徴とする請求項１に記載のＸ線ＣＴ装置。
【請求項３】
前記出射面は、前記角度に傾斜し、
前記Ｘ線管からのＸ線が入射する前記フィルタの入射面は曲面により構成され、その曲面が前記出射面と同じ方向に傾斜していることを特徴とする請求項１又は請求項２に記載のＸ線ＣＴ装置。
【請求項４】
前記フィルタを回動する回動機構を有し、
前記回動機構は、前記反射体が前記角度に傾斜する角度に前記フィルタを回動するようにしたことを特徴とする請求項１又は請求項２に記載のＸ線ＣＴ装置。
【請求項５】
前記発光体は、可視光を放射状に照射する光源を有することを特徴とする請求項１乃至請求項４に記載のＸ線ＣＴ装置。
【請求項６】
前記スリット部により形成されたスリットを通過した前記Ｘ線管からのＸ線を検出するＸ線検出手段を有し、
前記Ｘ線検出手段は、前記照射範囲に照射されたＸ線を検出する前記被検体の体軸方向に複数列配列されたＸ線検出素子を有することを特徴とする請求項１乃至請求項５に記載のＸ線ＣＴ装置。
【発明の詳細な説明】
【技術分野】
【０００１】
本発明は、Ｘ線ＣＴ装置に係り、特に、被検体の体軸方向に複数列のＸ線検出素子を備えたＸ線ＣＴ装置に関する。
【背景技術】
【０００２】
Ｘ線ＣＴ装置は、被検体の撮影により生成される画像データを提供するものであり、診断や治療等の医療行為に重要な役割を果たしている。このＸ線ＣＴ装置は、被検体に対してＸ線を照射するＸ線照射部及び被検体を透過したＸ線を検出するＸ線検出部を有する架台を備えている。この架台は円筒状の開口部を有し、天板上に載置された被検体が開口部内に送り込まれると、Ｘ線照射部及びＸ線検出部が被検体の周りを回転しながら、被検体にＸ線を照射すると共に被検体を透過したＸ線を検出して撮影を行う。
【０００３】
Ｘ線検出部には、被検体の体軸方向であるスライス方向にＸ線検出素子が１列配列されたシングルスライス用がある。また、スライス方向にＸ線検出素子が複数列配列されたマルチスライス用がある。このマルチスライス用においては、Ｘ線照射部から複数列のＸ線検出素子の方向にＸ線を照射し、被検体を透過したＸ線をそのＸ線検出素子で検出することにより、同時に複数の断層像データ又は複数列の幅に応じたボリュームデータを得ることができる。
【０００４】
ところで、Ｘ線ＣＴ装置は、天板上に載置された被検体の位置決めを行うためのマーカとしての可視光を照射する投光器を備え、被検体の体軸方向における位置決めを行う投光器には、被検体の体軸に対して垂直方向に幅広く照射可能なように２箇所に発光体が設けられている。そして、シングルスライス用では、スライス方向に１列配列されたＸ線検出素子の方向に可視光を照射する。この可視光により被検体の撮影部位が照射される位置へ天板を移動することにより、被検体の位置決めが行われる。
【０００５】
しかしながら、マルチスライス用では、複数列のＸ線検出素子の方向に可視光を照射することができないので、所定範囲のスキャノ像の撮影を行い、このスキャノ像に基づいて撮影範囲を指定することにより、被検体の位置決めを行うＸ線ＣＴ装置が知られている（例えば、特許文献１参照。）
【先行技術文献】
【特許文献】
【０００６】
【特許文献１】特開２００８−２５３８０５号公報
【発明の概要】
【発明が解決しようとする課題】
【０００７】
しかしながら、特許文献１の方法では、スライス方向の範囲が広いので、スキャノ像の撮影を行うための被検体の正確な位置決めが困難となる。このため、必要とする範囲以上にマージンを持たせてＸ線を照射するため、被検体が必要以上に被曝する問題がある。
【０００８】
本発明は、上記問題点を解決するためになされたもので、被曝を低減することができるＸ線ＣＴ装置を提供することを目的とする。
【課題を解決するための手段】
【０００９】
上記問題を解決するために、本発明のＸ線ＣＴ装置は、被検体にＸ線を照射し、前記被検体を透過したＸ線を検出して画像データを生成するＸ線ＣＴ装置において、前記被検体に対して照射するＸ線を発生するＸ線管と、前記Ｘ線管と前記被検体間に配置され、前記被検体に照射するＸ線の照射範囲を設定するために前記Ｘ線管からのＸ線が通過するスリットを形成するスリット部と、前記被検体の位置決めを行うための可視光を前記スリット部により形成されたスリットを通過させて、前記照射範囲の方向に照射する投光手段とを備え、前記投光手段は、前記Ｘ線管の照射軸上に位置する所定の点を中心とした前記Ｘ線管を通る円周上に配置され、且つ前記Ｘ線管からのＸ線の照射範囲外の位置に配置された可視光を発生する発光体と、前記Ｘ線管と前記スリット部間に配置され、前記所定の点を含む位置では、前記発光体から前記所定の点に入射した可視光が前記スリット部により形成されたスリットの方向に反射して前記照射軸上を通る角度に傾斜している反射体と、前記Ｘ線管と前記スリット部間に配置され、前記Ｘ線管からのＸ線が透過する前記被検体の体厚を補正するためのフィルタ、とを有し、前記反射体は、前記フィルタの透過したＸ線が出射する出射面上に配置されていることを特徴とする。
【発明の効果】
【００１０】
本発明によれば、被検体の位置決めを行うための可視光を、Ｘ線撮影のときに被検体に対して照射するＸ線の照射範囲を設定するスリットを通過させて照射することにより、位置決めを正確に行うことができる。これにより、被検体Ｐの被曝を低減することができる。
【図面の簡単な説明】
【００１１】
【図１】本発明の実施例に係るＸ線ＣＴ装置の構成を示すブロック図。
【図２】本発明の実施例に係るＸ線照射部の構成の一例を示す図。
【図３】本発明の実施例に係るフィルタ部の構成の一例を示す図。
【図４】本発明の実施例に係る投光器の構成の一例を示す図。
【図５】図４に示した投光器を説明するための図。
【図６】本発明の実施例に係る投光器の構成の他の例を示す図。
【図７】本発明の実施例に係る投光器の構成の他の例を示す図。
【図８】本発明の実施例に係る投光器の構成の他の例を示す図。
【図９】本発明の実施例に係る投光器及びフィルタ部の構成の他の例を示す図。
【図１０】本発明の実施例に係るＸ線ＣＴ装置の動作を示すフローチャート。
【発明を実施するための形態】
【００１２】
以下、本発明の実施例を、図面を参照して説明する。
【実施例】
【００１３】
図１は、本発明の実施例に係るＸ線ＣＴ装置の構成を示したブロック図である。このＸ線ＣＴ装置１００は、被検体Ｐが載置される天板８と、この天板８上に載置された被検体ＰにＸ線を照射してＸ線投影データを生成するＸ線撮影を行う架台部１０と、天板８を長手方向及び上下方向に移動する天板移動機構部５０と、架台部１０で生成されたＸ線投影データを再構成して画像データを生成する画像処理部６０とを備えている。
【００１４】
また、Ｘ線ＣＴ装置１００は、画像処理部６０で生成された画像データを表示する表示部７０と、架台部１０で行われる被検体Ｐの撮影に関するＸ線の照射条件や被検体Ｐの情報等の入力操作を行なう操作部８０と、架台部１０、天板移動機構部５０、及び画像処理部６０を統括して制御するシステム制御部９０とを備えている。
【００１５】
架台部１０は、正面側から天板８上に載置された被検体Ｐが送り込まれる円筒状の開口部１１と、この開口部１１内に送り込まれた天板８及び被検体Ｐの周りをアイソセンタＣ０を中心にして矢印Ｒ１方向に回転する回転部１２と、この回転部１２を回転可能に支持する固定部１３と、回転部１２及び固定部１３を覆うカバー１４とを備えている。
【００１６】
回転部１２は、架台部１０の正面側から開口部１１内に送り込まれた被検体Ｐに対して回転しながらＸ線を照射するＸ線照射部１５と、被検体Ｐを透過したＸ線を検出するＸ線検出部１６と、Ｘ線検出部１６からの検出信号に基づいて投影データを生成するデータ収集部１７と、データ収集部１７で生成されたＸ線投影データを画像処理部６０に出力するためのデータ伝送部１８の送信部とを備えている。
【００１７】
また、Ｘ線照射に必要な高電圧をＸ線照射部１５に供給する高電圧発生部１９と、天板８上に載置された被検体Ｐの体軸方向における位置決めを行うための投光器２０と、Ｘ線照射部１５、Ｘ線検出部１６、データ収集部１７、データ伝送部１８の送信部、高電圧発生部１９、及び投光器２０を回転可能に保持する回転フレーム３０とを備えている。
【００１８】
Ｘ線検出部１６はＸ線照射部１５に対向して配置され、天板８上に載置された被検体Ｐの体軸の方向であるスライス方向にＫ（２以上の整数）列配列され、またＲ１方向であるチャンネル方向にファン角θの円弧に沿ってＬ（２以上の整数）列配列された（Ｋ×Ｌ）個のＸ線検出素子を備えている。そして、Ｘ線照射部１５からＸ線の検出が可能な範囲に向けて照射され、被検体Ｐを透過したＸ線を検出して電気信号に変換し、その変換した信号をデータ収集部１７に出力する。
【００１９】
データ収集部１７は、Ｘ線検出部１６から出力された検出信号を処理するアナログ／デジタル変換回路（ＡＤＣ）等を備え、Ｘ線検出部１６からのアナログ信号をデジタル信号に変換した後、回転フレーム３０の所定の撮影角度回転毎に収集して１ビューの投影データを生成する。
【００２０】
データ伝送部１８は、例えば光を利用して送受信するための送信部及び受信部を備えている。そして、送信部が回転部１２に設けられ、データ収集部１７からの投影データを固定部１３に設けた受信部に伝送する。
【００２１】
固定部１３は、回転部１２の回転フレーム３０を回転する回転機構制御部３１及びデータ伝送部１８の受信部を備えている。そして、回転機構制御部３１は、回転フレーム３０を例えば０．３５秒で１回転する回転機構、回転フレーム３０の回転角度を検出する角度検出器、及び前記回転機構を制御する制御回路を備えている。また、データ伝送部１８の受信部は、送信部からの投影データを画像処理部６０に出力する。
【００２２】
カバー１４には、天板８上に載置された被検体Ｐの体軸に対して垂直方向の位置決めを行うための可視光を照射する図示しない投光器が配置される。この投光器は、天板８上に載置された被検体Ｐに対して延長線がアイソセンタＣ０を通る天板８の長手方向に延びた直線状の可視光を照射する。
【００２３】
画像処理部６０は、架台部１０における回転部１２のデータ伝送部１８から出力された投影データを保存する記憶部６１と、記憶部６１に保存された投影データを再構成して画像データを生成する再構成部６２とを備えている。
【００２４】
再構成部６２は、回転部１２における回転フレーム３０の例えば１８０°にファン角θを加えた３６０°未満の角度、又は３６０°の所定の角度を回転する間の撮影を１スキャンとし、１スキャンの間の撮影角度毎に生成された複数ビューの投影データを再構成して画像データを生成する。
【００２５】
表示部７０は、液晶パネルやＣＲＴなどのモニタを備え、画像処理部６０の再構成部６２で生成された画像データ等を表示する。
【００２６】
操作部８０は、キーボード、トラックボール、ジョイスティック、マウスなどの入力デバイスや表示パネル、更には各種スイッチなどを備えたインターラクティブなインターフェースであり、Ｘ線撮影のために被検体Ｐの情報や被検体Ｐの撮影部位に応じて照射するＸ線の照射範囲（照射野）等を設定するための入力操作を行う。
【００２７】
システム制御部９０は、ＣＰＵと記憶回路を備え、操作部８０からの入力操作により供給される入力情報を一旦記憶した後、これらの入力情報に基づいて、架台部１０における回転部１２の回転フレーム３０の回転、投影データの生成、画像データの生成及び表示に関する制御などシステム全体の制御を行う。
【００２８】
次に、図１乃至図９を参照して、架台部１０の回転部１２におけるＸ線照射部１５及び投光器２０の構成の詳細を説明する。図２は、Ｘ線照射部１５の構成の一例を示す図である。図３は、Ｘ線照射部１５を構成しているユニットの一例を示す図である。図４は、投光器２０の構成の一例を示す図である。図５は、投光器２０を説明するための図である。図６乃至図９は、投光器２０の構成の他の例を示す図である。
【００２９】
図２において、Ｘ線照射部１５は、被検体Ｐに照射するＸ線を発生するＸ線管１５１と、被検体Ｐの体厚を補正するためのフィルタ部１５２と、このフィルタ部１５２を移動駆動するフィルタ駆動部１５３と、被検体Ｐに照射するＸ線の照射範囲を設定するためにＸ線管１５１からのＸ線が通過するスリットを形成するスリット部１５４とより構成される。
【００３０】
Ｘ線管１５１は、スリット部１５４により形成されたスリットの中心を通る照射軸１５１ａを中心軸としてスリットの方向にＸ線を照射する。
【００３１】
フィルタ部１５２は、Ｘ線管１５１とスリット部１５４の間に移動可能に配置され、図３に示すように、被検体Ｐの体形に応じて選択可能なように例えばアルミニューム等の所定のＸ線透過率を有する材料から形成された４つのウェッジフィルタ１５２１乃至１５２４を有する。
【００３２】
各ウェッジフィルタ１５２１乃至１５２４は、Ｘ線管１５１からのＸ線が入射する入射面が曲面により構成され、入射して透過したＸ線が出射する出射面が照射軸１５１ａに対して垂直な平面により構成される。そして、被検体Ｐの体軸Ｐ１近傍の体厚が厚い部分に照射するＸ線の吸収を最小とし、体軸Ｐ１に対して垂直方向における体厚が薄くなる部分ほど照射するＸ線の吸収が大きくなるように構成されている。
【００３３】
フィルタ駆動機構１５３は、システム制御部９０により制御され、Ｘ線撮影が行われる被検体Ｐの体形に応じてフィルタ部１５２を天板８上に載置された被検体Ｐの体軸Ｐ１方向である矢印Ｌ１方向及びこのＬ１方向とは反対方向である矢印Ｌ２方向に移動する。そして、選択された各ウェッジフィルタ１５２１乃至１５２４の入射面がＸ線管１５１からのＸ線により照射される位置であり、且つ選択された各ウェッジフィルタ１５２１乃至１５２４の出射面の中心が照射軸１５１ａ上の所定の点Ｃ１に一致する位置に設定する。
【００３４】
スリット部１５４はＸ線管１５１と被検体Ｐ間に配置され、フィルタ部１５２を透過したＸ線が通過するスリットを形成するスリット板１５４１乃至１５４４、及びスリット板１５４１，１５４２を移動駆動するスリット駆動機構１５４５により構成される。そして、スリット板１５４１，１５４２は、体軸Ｐ１方向に対向して配置される。また、スリット板１５４３，１５４４は、体軸Ｐ１方向に対して垂直方向に対向して配置される。
【００３５】
スリット駆動機構１５４５は、システム制御部９０から供給される照射野の情報に基づいて、Ｌ１方向にスリット板１５４１を移動すると共にＬ２方向にスリット板１５４２を移動して、体軸Ｐ１方向におけるスリットを拡大する。また、Ｌ２方向にスリット板１５４１を移動すると共にＬ１方向にスリット板１５４２を移動して、体軸Ｐ１方向におけるスリットを縮小する。
【００３６】
そして、位置決めされた被検体Ｐの斜線で示した撮影部位をＸ線が照射可能な範囲であり、この範囲に照射されたＸ線をＸ線検出部１６の例えばスライス方向に複数列配列されたＸ線検出素子で検出可能な範囲である照射範囲Ｗを設定する。これにより、Ｘ線管１５１から照射され、スリットを通過したＸ線を照射範囲Ｗの方向に照射することができる。
【００３７】
図４は、投光器２０の構成の一例を示した図である。この投光器２０は、被検体Ｐの位置決めを行うための可視光を発生する発光体２０１、及び発光体２０１からの可視光を反射してＸ線照射部１５のスリット部１５４で形成されたスリットを通過させる反射体２０２により構成される。
【００３８】
被検体Ｐの位置決めが行われるとき、固定部１３の回転機構制御部３１は、回転部１２の回転フレーム３０を回転して、Ｘ線照射部１５及び投光器２０を位置決め角度に設定する。
【００３９】
位置決め角度に設定されたＸ線照射部１５のＸ線管１５１は、照射軸１５１ａが例えば鉛直で下方に向けてＸ線を照射する角度に設定される。
【００４０】
発光体２０１は、可視光を放射状に照射する光源である例えばハロゲンランプを有し、照射軸１５１ａ上の点Ｃ１を中心としたＸ線管１５１の焦点を通る円周上に配置され、且つＸ線管１５１からのＸ線の照射範囲外の位置に配置される。即ち、点Ｃ１から点Ｃ１とＸ線管１５１の焦点間の距離Ｄ１離れた位置であって、Ｘ線管１５１からのＸ線の照射範囲外の位置に配置される。ここでは、点Ｃ１から例えばＬ１方向へ水平に距離Ｄ１離れた位置に配置される。なお、点Ｃ１からＬ１方向へ距離Ｄ１離れた位置で発光体２０１を固定部１３に固定するように実施してもよい。
【００４１】
反射体２０２はＸ線管１５１とスリット部１５４間に配置され、表面が発光体２０１からの可視光を反射する平らな反射面を成し、裏面がＸ線照射部１５のフィルタ駆動機構１５３によりＬ１方向及びＬ２方向に移動可能なようにフィルタ部１５２に保持されている。そして、天板８上に載置された被検体Ｐの位置決めが行われるとき、反射体２０２は反射面の中心が点Ｃ１に一致する位置へ移動される。この位置へ移動した反射面が点Ｃ１を含む位置では、発光体２０１から点Ｃ１に入射した可視光がスリット部１５４方向に反射して照射軸１５１ａ上を通る角度に傾斜している。ここでは、図５に示すように、反射体２０２の反射面が発光体２０１から点Ｃ１に入射する入射光の入射角及び点Ｃ１で反射した反射光の反射角が４５°になる。また、Ｘ線撮影が行われるとき、Ｘ線管１５１から照射されるＸ線の照射範囲外の位置へ移動される。
【００４２】
そして、被検体Ｐの位置決めが行われるとき、Ｘ線照射部１５及び投光器２０が位置決め角度に設定された後、操作部８０から入力されたＸ線撮影を行うための視野角の情報に基づいてスリット部１５４によりスリットが形成される。そして、発光体２０１から照射され、反射体２０２で反射した可視光を、スリット部１５４により形成されたスリットを通過させて、照射範囲Ｗの方向に照射する。
【００４３】
このように、１つの発光体２０１及び反射体２０２からなる簡単な構成の投光器２０を設け、可視光をＸ線撮影が行われるときのスリットを通過させることにより、Ｘ線検出部１６のスライス方向における複数列のＸ線検出素子で検出可能な照射範囲Ｗの方向に可視光を照射することができる。
【００４４】
なお、Ｘ線照射部１５及び投光器２０は上記実施例に限定されるものではなく、投光器２０を、例えば図６に示すように、図４に示した発光体２０１を点Ｃ１からＬ２方向へ水平に距離Ｄ１離れた位置に配置換えした発光体２０１ａと、反射体２０２を、反射面が点Ｃ１を含む位置では発光体２０１ａから点Ｃ１に入射する入射光の入射角及び点Ｃ１で反射した反射光の反射角が４５°になるように配置換えした反射体２０２ａとにより構成される投光器２０ａに置き換えて実施するようにしてもよい。
【００４５】
このように、１つの発光体２０１ａ及び反射体２０２ａからなる簡単な構成の投光器２０ａを設け、可視光をＸ線撮影が行われるときのスリットを通過させることにより、Ｘ線検出部１６のスライス方向における複数列のＸ線検出素子で検出可能な照射範囲Ｗの方向に可視光を照射することができる。
【００４６】
また、投光器２０を、図７に示すように、発光体２０１を点Ｃ１から体軸Ｐ１及び照射軸１５１ａに対して垂直方向へ水平に距離Ｄ１離れた位置に配置換えした発光体２０１ｂと、反射体２０２を、反射面が点Ｃ１を含む位置では発光体２０１ｂから点Ｃ１に入射する入射光の入射角及び点Ｃ１で反射した反射光の反射角が４５°になるように配置換えした反射体２０２ｂとにより構成される投光器２０ｂに置き換えて実施するようにしてもよい。
【００４７】
このように、１つの発光体２０１ｂ及び反射体２０２ｂからなる簡単な構成の投光器２０ｂを設け、可視光をＸ線撮影が行われるときのスリットを通過させることにより、Ｘ線検出部１６のスライス方向における複数列のＸ線検出素子で検出可能な照射範囲Ｗの方向に可視光を照射することができる。
【００４８】
更に、投光器２０を、図８に示すように、投光器２０ｃに置き換えて実施するようにしてもよい。この投光器２０ｃは、図７に示した発光体２０１ｂと、フィルタ部１５２における例えばウェッジフィルタ１５２１の出射面上に配置された、Ｘ線を透過すると共に可視光を反射する例えばポリエステルフィルムの裏面側にアルミニュウムが蒸着されたミラーである反射体２０２ｃと、この反射体２０２ｃの反射面が点Ｃ１を含む位置では、点Ｃ１を通るＬ１方向及びＬ２方向に延びた仮想の直線を回動軸として反射体２０２ｃが配置されたフィルタ部１５２を矢印Ｒ２及び矢印Ｒ３方向に回動するフィルタ回動機構２０３とにより構成される。
【００４９】
そして、位置決めのときに、反射体２０２ｃの反射面が発光体２０１ｂから点Ｃ１に入射する入射光の入射角及び点Ｃ１で反射した反射光の反射角が４５°になる角度にフィルタ部１５２を回動する。また、Ｘ線撮影のときに、フィルタ部１５２の出射面が照射軸１５１ａに対して垂直になる角度に回動する。
【００５０】
このように、１つの発光体２０１ｂを含む投光器２０ｃを設け、可視光をＸ線撮影が行われるときのスリットを通過させることにより、Ｘ線検出部１６のスライス方向における複数列のＸ線検出素子で検出可能な照射範囲Ｗの方向に可視光を照射することができる。
【００５１】
更にまた、投光器２０及びフィルタ部１５２の例えばウェッジフィルタ１５２１を、図９（ｃ）及び図９（ｄ）に示すように、投光器２０ｄ及び例えばウェッジフィルタ１５２１が選択される被検体Ｐの体形と同じ体形の体厚を補正するためのウェッジフィルタ１５２１ａに置き換えて実施するようにしてもよい。
【００５２】
この投光器２０ｄは、図４に示した発光体２０１と、ウェッジフィルタ１５２１ａの平らな出射面上に配置された、Ｘ線を透過すると共に可視光を反射するミラーである反射体２０２ｄとにより構成される。
【００５３】
そして、位置決めが行われるとき、及びＸ線撮影でウェッジフィルタ１５２１ａが選択されたとき、反射体２０２ｄの中心が点Ｃ１に一致する位置であり、且つ入射面がＸ線管１５１からのＸ線により照射される位置にウェッジフィルタ１５２１ａを移動する。そして、反射面が点Ｃ１を含む位置では、発光体２０１から点Ｃ１に入射する入射光の入射角及び点Ｃ１で反射する反射光の反射角が４５°になる角度に傾斜している。
【００５４】
ウェッジフィルタ１５２１ａは、体軸Ｐ１方向における長さＤ３と照射軸１５１ａ及び体軸Ｐ１に対して垂直な方向における長さＤ３が夫々ウェジフィルタ１５２１と同じ長さである。そして、ウェッジフィルタ１５２１ａの出射面が、点Ｃ１を含む位置における反射体２０２ｄと同じ角度に傾斜している。また、入射面が曲面により構成され、その曲面が出射面と同じ方向に傾斜して、Ｘ線管１５１から放射された任意の角度におけるＸ線のウェッジフィルタ１５２１ａ内を透過する距離が、その角度におけるＸ線のウェッジフィルタ１５２１内を透過する距離と同じになるようになるように形成されている。例えば、照射軸１５１ａ上を通るＸ線のウェッジフィルタ１５２１ａ内を透過する距離は、ウェッジフィルタ１５２１と同じく距離Ｄ４となる。
【００５５】
これにより、被検体Ｐに入射する位置のＸ線の減衰率をウェッジフィルタ１５２１と同じ減衰率に設定することができ、ウェッジフィルタ１５２１と同じ補正機能を備えることができる。
【００５６】
このように、１つの発光体２０１及び反射体２０２ｄからなる簡単な構成の投光器２０ｄを設け、可視光をＸ線撮影が行われるときのスリットを通過させることにより、Ｘ線検出部１６のスライス方向における複数列のＸ線検出素子で検出可能な照射範囲Ｗの方向に可視光を照射することができる。また、反射体２０２ｄをウェッジフィルタ１５２１ａに配置することにより、投光器２０よりも小型化を図ることができる。
【００５７】
以下、図１乃至図４、及び図１０を参照して、被検体Ｐの位置決めを行うときのＸ線ＣＴ装置１００の動作の一例を説明する。
【００５８】
図１０は、Ｘ線ＣＴ装置１００の動作を示したフローチャートである。操作部８０から被検体ＰのＸ線撮影を行うときの照射野である例えば照射範囲Ｗを入力した後、位置決めを行うために投光器２０を点灯する操作が行われると、Ｘ線ＣＴ装置１００は動作を開始する（ステップＳ１）。
【００５９】
システム制御部９０は、架台部１０に位置決めを指示する。架台部１０における固定部１３の回転機構制御部３１は、回転部１２の回転フレーム３０を回転してＸ線照射部１５及び投光器２０を位置決め角度に設定する（ステップＳ２）。
【００６０】
Ｘ線照射部１５のフィルタ駆動部１５３は、投光器２０の反射体２０２を点Ｃ１の位置へ移動する（ステップＳ３）。
【００６１】
Ｘ線照射部１５におけるスリット部１５４のスリット駆動機構１５４５は、システム制御部９０から供給される照射野の情報に基づいて、各スリット板１５４１，１５４２をＬ１方向及びＬ２方向へ移動して、Ｘ線撮影を行うときのスリットを形成する（ステップＳ４）。
【００６２】
投光器２０は、発光体２０１から照射され、反射体２０２で反射した可視光を、スリット部１５４により形成されたスリットを通過させて、照射範囲Ｗの方向に照射する（ステップＳ５）。
【００６３】
このように、照射範囲Ｗの方向に可視光を照射することができる。これにより、Ｘ線撮影のときに照射するＸ線の照射範囲Ｗを可視化することができる。
【００６４】
そして、操作部８０からの天板８を移動操作して、被検体Ｐ上に照射された可視光の照射範囲Ｗに被検体Ｐの撮影部位を合わせる位置決めが行われる。位置決めが行われた後、操作部８０から投光器２０を消灯する操作が行われると、システム制御部９０が架台部１０に位置決めの終了を指示することにより、Ｘ線ＣＴ装置１００は動作を終了する（ステップＳ６）。
【００６５】
このように、照射範囲Ｗの方向を可視化することにより、被検体Ｐの位置決めを正確に且つ容易に行うことができる。
【００６６】
位置決め終了後に、操作部８０から被検体Ｐの体形に応じたウェッジフィルタ１５２１乃至１５２４のいずれかを選択する操作を行った後、Ｘ線撮影を開始する操作が行われると、フィルタ駆動機構１５３が反射体２０２をＸ線管１５１からのＸ線の照射範囲外へ移動すると共に選択されたウェッジフィルタをＸ線管１５１からのＸ線の照射範囲内へ移動する。そして、可視光が照射された照射範囲ＷにＸ線を照射してＸ線撮影が行われる。
【００６７】
このように、位置決めされた被検体Ｐに対して照射範囲ＷにＸ線を照射することにより、被検体Ｐの撮影部にＸ線を照射することができる。これにより、不要なＸ線の照射を防ぐことが可能となり、被検体Ｐの被曝を低減することができる。
【００６８】
以上述べた本発明の実施例によれば、１つの発光体２０１及び反射体２０２からなる簡単な構成の投光器２０を設け、可視光をＸ線撮影が行われるときのスリットを通過させることにより、Ｘ線検出部１６のスライス方向における複数列のＸ線検出素子で検出可能な照射範囲Ｗの方向に可視光を照射することができる。
【００６９】
これにより、Ｘ線撮影のときに照射するＸ線の照射範囲Ｗの方向を可視化することが可能となり、被検体Ｐの位置決めを正確に且つ容易に行うことができる。そして、位置決めされた被検体Ｐに対して照射範囲ＷにＸ線を照射することにより、被検体Ｐの撮影部位にＸ線を照射することが可能となり、不要なＸ線の照射を防いで、被検体Ｐの被曝を低減することができる。
【符号の説明】
【００７０】
Ｃ１  中心
Ｄ１  距離
Ｐ  被検体
Ｐ１  体軸
Ｗ  照射範囲
８  天板
１１  開口部
１５  Ｘ線照射部
１６  Ｘ線検出部
２０  投光器
１５１  Ｘ線管
１５１ａ  照射軸
１５２  フィルタ部
１５３  フィルタ駆動機構
１５４  スリット部
２０１  発光体
２０２  反射体
１５４１，１５４２，１５４３，１５４４  スリット板
１５４５  スリット駆動機構
【図１】
0005503919.tif 000002
【図２】
0005503919.tif 000003
【図３】
0005503919.tif 000004
【図４】
0005503919.tif 000005
【図５】
0005503919.tif 000006
【図６】
0005503919.tif 000007
【図７】
0005503919.tif 000008
【図８】
0005503919.tif 000009
【図９】
0005503919.tif 000010
【図１０】
0005503919.tif 000011